(57)【要約】【課題】エネルギー保存機能付電源供給システムの提供。【解決手段】本発明は一種のエネルギー保存機能付電源供給システムに関わるもので、主に交流から直流への変換装置、エネルギー保存装置、直流から直流への変換装置およびエネルギー管理制御装置を設ける。そのうち、エネルギー管理制御装置はバスにより、交流から直流への変換装置、充電器、充電電池組および直流から直流への変換装置に接続する。そのうち、エネルギー管理制御装置はバスにより、交流から直流への変換装置、充電器、充電電池組および直流から直流への変換装置に接続する。前記４種類の部品間の接続方式により、システム内の直流電気と交流電気の流動方向が異なり、三つの態様を形成し、電源供給効果を実現する。【選択図】図２
2007159380.tif 000002
【特許請求の範囲】
【請求項１】
一種のエネルギー保存機能付電源供給システムであり、交流から直流への変換装置、エネルギー保存装置、直流から直流への変換装置及びエネルギー管理制御装置を含み、交流から直流への変換装置は外部より入力する交流電源を受け入れ、交流電源を第１直流電源に変換しフラグにより、この交流電源の存在を指示する、
エネルギー保存装置は交流から直流への変換装置に接続する、充電器と充電電池組を設け、充電器は第１直流電源を受け入れて、充電の直流電源を発生し、充電電池組に充電し、この充電電池組より第２直流電源を出力する、
直流から直流への変換装置は交流から直流への変換装置と充電電池組に接続し、第１直流電源または第２直流電源を入力電源として選択し、入力電源により、一つ以上の作業電源を発生する、
エネルギー管理制御装置は直流から直流への変換装置に接続し、一つ以上の作業電源を受け入れて、一つ以上の直流電源を出力し、バスにより、交流から直流への変換装置、充電器、充電電池組および直流から直流への変換装置に接続する、エネルギー管理制御装置はバスにより、交流から直流への変換装置、充電器、充電電池組および直流から直流への変換装置を検知および管理する、
そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択することを特徴とするエネルギー保存機能付電源供給システム。
【請求項２】
充電電池組は燃料電池であることを特徴とする請求項１記載のエネルギー保存機能付電源供給システム。
【請求項３】
充電電池組はイオン電池であることを特徴とする請求項１記載のエネルギー保存機能付電源供給システム。
【請求項４】
充電電池組はイオンポリマー電池であることを特徴とする請求項１記載のエネルギー保存機能付電源供給システム。
【請求項５】
エネルギー管理制御装置はバスにより、交流から直流への変換装置、充電器、充電電池組および直流から直流への変換装置の温度を監視および管理することを特徴とする請求項１記載のエネルギー保存機能付電源供給システム。
【請求項６】
エネルギー管理制御装置はバスにより、交流から直流への変換装置、充電器、充電電池組および直流から直流への変換装置の電圧を監視および管理することを特徴とする請求項１記載のエネルギー保存機能付電源供給システム。
【請求項７】
エネルギー管理制御装置はバスにより、交流から直流への変換装置、充電器、充電電池組および直流から直流への変換装置の電流を監視および管理することを特徴とする請求項１記載のエネルギー保存機能付電源供給システム。
【請求項８】
エネルギー管理制御装置はバスにより、燃料電池組の水分と燃料を監視および管理することを特徴とする請求項２記載のエネルギー保存機能付電源供給システム。
【請求項９】
バスはＩ2Ｃであることを特徴とする請求項１記載のエネルギー保存機能付電源供給システム。
【請求項１０】
一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項１記載のエネルギー保存機能付電源供給システム。
【請求項１１】
一種のエネルギー保存機能付電源供給システムであり、交流から直流への変換装置、エネルギー保存装置、  直流から直流への変換装置及びエネルギー管理制御装置を含み、交流から直流への変換装置は外部より入力する交流電源を受け入れ、交流電源を第１直流電源及び第３直流電源に変換し、フラグにより、この交流電源の存在を指示する、
エネルギー保存装置は交流から直流への変換装置に接続し、並びに充電器と充電電池組を具え、そのうち、充電器は第１直流電源を受け入れて、充電の直流電源を発生し、充電電池組に充電し、この充電電池組より第２直流電源を出力する、
直流から直流への変換装置は充電電池組に接続し、入力電源として第２直流電源を受け入れ、この入力電源により、一つ以上の電源を発生する、
エネルギー管理制御装置は直流から直流への変換装置および交流から直流への変換装置に接続し、一つ以上の作業電源または第３直流電源を入力電源として選択し、且つ少なくとも一つの直流電源を出力し、並びに一つのバスにより交流直流転換装置、充電器、充電電池組および直流から直流への変換装置に接続する、
エネルギー管理制御装置はバスにより交流から直流への変換装置、充電器、充電電池組および直流から直流への変換装置の電流を監視および管理する、
そのうち、エネルギー管理制御装置はバスにより、フラグを読み取り、フラグは交流電源の存在を指示したとき、エネルギー管理制御装置は第３直流電源を入力電源として選択することを特徴とするエネルギー保存機能付電源供給システム。
【請求項１２】
充電電池組は燃料電池であることを特徴とする請求項８記載のエネルギー保存機能付電源供給システム。
【請求項１３】
充電電池組はイオン電池であることを特徴とする請求項８記載のエネルギー保存機能付電源供給システム。
【請求項１４】
充電電池組はイオンポリマー電池であることを特徴とする請求項８記載のエネルギー保存機能付電源供給システム。
【請求項１５】
エネルギー管理制御装置はバスにより、交流から直流への変換装置、充電器、充電電池組および直流から直流への変換装置の温度を監視および管理することを特徴とする請求項８記載のエネルギー保存機能付電源供給システム。
【請求項１６】
エネルギー管理制御装置はバスにより、交流から直流への変換装置、充電器、充電電池組および直流から直流への変換装置の電圧を監視および管理することを特徴とする請求項８記載のエネルギー保存機能付電源供給システム。
【請求項１７】
エネルギー管理制御装置はバスにより、交流から直流への変換装置、充電器、充電電池組および直流から直流への変換装置の電流を監視および管理することを特徴とする請求項８記載のエネルギー保存機能付電源供給システム。
【請求項１８】
エネルギー管理制御装置はバスにより、燃料電池組の水分と燃料を監視および管理することを特徴とする請求項９記載のエネルギー保存機能付電源供給システム。
【請求項１９】
バスはI2Cであることを特徴とする請求項８記載のエネルギー保存機能付電源供給システム。
【請求項２０】
一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項８記載のエネルギー保存機能付電源供給システム。
【請求項２１】
一種のエネルギー保存機能付電源供給システムであり、交流から直流への変換装置、エネルギー保存装置、  直流から直流への変換装置及びエネルギー管理制御装置を含み、
交流から直流への変換装置は外部より入力する交流電源を受け入れ、交流電源を第１直流電源に変換し、フラグにより、この交流電源の存在を指示する、
エネルギー保存装置は交流から直流への変換装置に接続し、並びに充電器と充電電池組を具え、充電器は第１直流電源を受け入れて、充電の直流電源を発生し、充電電池組に充電し、この充電電池組より第２直流電源を出力する、
直流から直流への変換装置は交流から直流への変換装置と充電電池組に接続し、第１直流電源または第２直流電源を入力電源として選択し、入力された電源により、一つ以上の作業電源を出力直流電源として発生する、及び
エネルギー管理制御装置はバスにより交流から直流への変換装置、充電器、充電電池組および直流から直流への変換装置に接続する、このエネルギー管理制御装置はバスにより、交流から直流への変換装置、充電器、充電電池組および直流から直流への変換装置の検知および管理をする、
そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択することを特徴とする一種のエネルギー保存機能付電源供給システム。
【請求項２２】
充電電池組は燃料電池組であることを特徴とする請求項１５記載のエネルギー保存機能付電源供給システム。
【請求項２３】
充電電池組はイオン電池であることを特徴とする請求項１５記載のエネルギー保存機能付電源供給システム。
【請求項２４】
充電電池組はイオンポリマー電池であることを特徴とする請求項１５記載のエネルギー保存機能付電源供給システム。
【請求項２５】
エネルギー管理制御装置はバスにより、交流から直流への変換装置、充電器、充電電池組および直流から直流への変換装置の温度を監視および管理することを特徴とする請求項１５記載のエネルギー保存機能付電源供給システム。
【請求項２６】
エネルギー管理制御装置はバスにより、交流から直流への変換装置、充電器、充電電池組および直流から直流への変換装置の電圧を監視および管理することを特徴とする請求項１５記載のエネルギー保存機能付電源供給システム。
【請求項２７】
エネルギー管理制御装置はバスにより、交流から直流への変換装置、充電器、充電電池組および直流から直流への変換装置を監視および管理することを特徴とする請求項１５記載のエネルギー保存機能付電源供給システム。
【請求項２８】
エネルギー管理制御装置はバスにより、燃料電池組の水分と燃料を監視および管理することを特徴とする請求項１６記載のエネルギー保存機能付電源供給システム。
【請求項２９】
バスはＩ2Ｃであることを特徴とする請求項１５記載のエネルギー保存機能付電源供給システム。
【請求項３０】
一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項１５記載のエネルギー保存機能付電源供給システム。
【発明の詳細な説明】
【技術分野】
【０００１】
本発明は電源供給システム、特に一種のエネルギー保存装置に適する電源供給システムに関わる。
【背景技術】
【０００２】
技術の日進月歩により、CDウォークマン、MP３、PDA、ノート型パソコンなど、様々な電気製品が販売されている。これらの電子製品の使用便利を図るため、これらの電子製品を駆動する電気に対する電源供給システムが重要な役割を果たしている。炭素亜鉛電池、水銀電池、鉛酸電池、イオン電池、イオンポリマー電池または燃料電池、いずれの電源供給装置のもっとも重要な目的は高効率、高密度により、電気供給の安定化を図る。
【０００３】
従来の電源供給装置はコンデンサー効果により、エネルギー保存効果を実現する。しかし、コンデンサーのエネルギー伝送は電極表面に発生し、コンデンサー電極のパワー密度、放電深度、および充電能力は電池に優れるが、コンデンサー電極は電気保存に使われていない理由は、そのエネルギー保存量は電気に比べてはるかに低いためである。よって、コンデンサーを電池に匹敵するエネルギー保存効果を得るため、必要コンデンサーの数は、電池の数より多く、電源供給装置の体積を膨大化させる。さらに、保存されたエネルギーを有効に利用することができない。
【発明の開示】
【発明が解決しようとする課題】
【０００４】
本発明は一種のエネルギー保存機能付電源供給システムに関わるもので、主に交流から直流への変換装置、エネルギー保存装置、直流から直流への変換装置およびエネルギー管理制御装置を設ける。前記４種類の部品間の接続方式により、システム内の直流電気と交流電気の流動方向が異なり、三つの態様を形成し、電源供給効果を実現する。
【０００５】
第１種の態様は、交流から直流への変換装置を設け、外部より入力する交流電源を受け入れ、この交流電源を第１直流電源に置き換える。さらに、フラグによりこの交流電源の存在を指示する。エネルギー保存装置、この交流から直流への変換装置に接続する。充電器と充電電池組を設け、充電器は第１直流電源を受け入れて、充電直流電源を発生し、充電電池組に充電する。充電電池組より第２直流電源を出力する。直流から直流への変換装置を交流から直流への変換装置と充電電池組に接続し、第１直流電源または第２直流電源を入力電源として選択し、入力された電源により、作業電源を発生する。エネルギー管理制御装置を設け、直流から直流への変換装置に接続し、一つ以上の作業電源を受け入れて、一つ以上の直流電源を出力するほか、バスにより交流から直流への変換装置、充電器、充電電池組および直流から直流への変換装置に接続する。このエネルギー管理制御装置はバスにより、交流から直流への変換装置、充電器、充電電池組および直流から直流への変換装置の検知および管理する。
【０００６】
そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択する。
【０００７】
第２種の態様は、交流から直流への変換装置を設け、外部より入力する交流電源を受け入れ、この交流電源を第１直流電源および第３直流電源に置き換える。さらに、フラグによりこの交流電源の存在を指示する。エネルギー保存装置、この交流から直流への変換装置に接続する。充電器と充電電池組を設け、充電器は第１直流電源を受け入れて、充電直流電源を発生し、充電電池組に充電する。充電電池組より第２直流電源を出力する。直流から直流への変換装置を充電電池組に接続し、第２直流電源を入力電源として選択し、入力された電源により、作業電源を発生する。エネルギー管理制御装置を設け、直流から直流への変換装置および交流から直流への変換装置に接続し、一つ以上の作業電源または第３直流電源を受け入れて、一つ以上の直流電源を出力するほか、バスにより交流から直流への変換装置、充電器、充電電池組および直流から直流への変換装置に接続する。このエネルギー管理制御装置はバスにより、交流から直流への変換装置、充電器、充電電池組および直流から直流への変換装置の検知および管理する。
【０００８】
そのうち、エネルギー管理制御装置はバスにより、フラグを読み取り、フラグは交流電源の存在を指示したとき、エネルギー管理制御装置は第３直流電源を入力電源に選択する。
【０００９】
第３種の態様は、交流から直流への変換装置を設け、外部より入力する交流電源を受け入れ、この交流電源を第１直流電源に置き換える。さらに、フラグによりこの交流電源の存在を指示する。エネルギー保存装置、この交流から直流への変換装置に接続する。充電器と充電電池組を設け、充電器は第１直流電源を受け入れて、充電直流電源を発生し、充電電池組に充電する。充電電池組より第２直流電源を出力する。直流から直流への変換装置を交流から直流への変換装置および充電電池組に接続し、第１直流電源または第２直流電源を入力電源として選択し、入力された電源により、一つ以上の作業電源を発生し、直流電源を出力する。エネルギー管理制御装置を設け、バスにより交流から直流への変換装置、充電器、充電電池組および直流から直流への変換装置に接続する。このエネルギー管理制御装置はバスにより、交流から直流への変換装置、充電器、充電電池組および直流から直流への変換装置の検知および管理する。
【００１０】
そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択する。
【００１１】
本発明は前記した三つの態様を利用し、外部電源の供給を中止するかまたは不安定のとき、システム内のエネルギー保存装置により、システムをダウンすることなく、正常に稼動することができる。
【課題を解決するための手段】
【００１２】
請求項１の発明は、一種のエネルギー保存機能付電源供給システムであり、交流から直流への変換装置、エネルギー保存装置、  直流から直流への変換装置及びエネルギー管理制御装置を含み、交流から直流への変換装置は外部より入力する交流電源を受け入れ、交流電源を第１直流電源に変換しフラグにより、この交流電源の存在を指示する、
エネルギー保存装置は交流から直流への変換装置に接続する、充電器と充電電池組を設け、充電器は第１直流電源を受け入れて、充電の直流電源を発生し、充電電池組に充電し、この充電電池組より第２直流電源を出力する、
直流から直流への変換装置は交流から直流への変換装置と充電電池組に接続し、第１直流電源または第２直流電源を入力電源として選択し、入力電源により、一つ以上の作業電源を発生する、
エネルギー管理制御装置は直流から直流への変換装置に接続し、一つ以上の作業電源を受け入れて、一つ以上の直流電源を出力し、バスにより、交流から直流への変換装置、充電器、充電電池組および直流から直流への変換装置に接続する、エネルギー管理制御装置はバスにより、交流から直流への変換装置、充電器、充電電池組および直流から直流への変換装置を検知および管理する、
そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択することを特徴とするエネルギー保存機能付電源供給システムとしている。
請求項２の発明は、充電電池組は燃料電池であることを特徴とする請求項１記載のエネルギー保存機能付電源供給システムとしている。
請求項３の発明は、充電電池組はイオン電池であることを特徴とする請求項１記載のエネルギー保存機能付電源供給システムとしている。
請求項４の発明は、充電電池組はイオンポリマー電池であることを特徴とする請求項１記載のエネルギー保存機能付電源供給システムとしている。
請求項５の発明は、エネルギー管理制御装置はバスにより、交流から直流への変換装置、充電器、充電電池組および直流から直流への変換装置の温度を監視および管理することを特徴とする請求項１記載のエネルギー保存機能付電源供給システムとしている。
請求項６の発明は、エネルギー管理制御装置はバスにより、交流から直流への変換装置、充電器、充電電池組および直流から直流への変換装置の電圧を監視および管理することを特徴とする請求項１記載のエネルギー保存機能付電源供給システムとしている。
請求項７の発明は、エネルギー管理制御装置はバスにより、交流から直流への変換装置、充電器、充電電池組および直流から直流への変換装置の電流を監視および管理することを特徴とする請求項１記載のエネルギー保存機能付電源供給システムとしている。
請求項８の発明は、エネルギー管理制御装置はバスにより、燃料電池組の水分と燃料を監視および管理することを特徴とする請求項２記載のエネルギー保存機能付電源供給システムとしている。
請求項９の発明は、バスはＩ2Ｃであることを特徴とする請求項１記載のエネルギー保存機能付電源供給システムとしている。
請求項１０の発明は、一つ以上の作業電源は、+２４Ｖ、-２４Ｖ、+１２ｖ、-１２Ｖ、+９Ｖ、-９Ｖ、+５Ｖ、-５Ｖ、+３．３Ｖ、および+２．５Vのいずれの一つ以上の電圧を選択することを特徴とする請求項１記載のエネルギー保存機能付電源供給システムとしている。
請求項１１の発明は、一種のエネルギー保存機能付電源供給システムであり、交流から直流への変換装置、エネルギー保存装置、直流から直流への変換装置及びエネルギー管理制御装置を含み、
交流から直流への変換装置は外部より入力する交流電源を受け入れ、交流電源を第１直流電源及び第３直流電源に変換し、フラグにより、この交流電源の存在を指示する、
エネルギー保存装置は交流から直流への変換装置に接続し、並びに充電器と充電電池組を具え、そのうち、充電器は第１直流電源を受け入れて、充電の直流電源を発生し、充電電池組に充電し、この充電電池組より第２直流電源を出力する、
直流から直流への変換装置は充電電池組に接続し、入力電源として第２直流電源を受け入れ、この入力電源により、一つ以上の電源を発生する、
エネルギー管理制御装置は直流から直流への変換装置および交流から直流への変換装置に接続し、一つ以上の作業電源または第３直流電源を入力電源として選択し、且つ少なくとも一つの直流電源を出力し、並びに一つのバスにより交流直流転換装置、充電器、充電電池組および直流から直流への変換装置に接続する、
エネルギー管理制御装置はバスにより交流から直流への変換装置、充電器、充電電池組および直流から直流への変換装置の電流を監視および管理する、
そのうち、エネルギー管理制御装置はバスにより、フラグを読み取り、フラグは交流電源の存在を指示したとき、エネルギー管理制御装置は第３直流電源を入力電源として選択することを特徴とするエネルギー保存機能付電源供給システムとしている。
請求項１２の発明は、充電電池組は燃料電池であることを特徴とする請求項８記載のエネルギー保存機能付電源供給システムとしている。
請求項１３の発明は、充電電池組はイオン電池であることを特徴とする請求項８記載のエネルギー保存機能付電源供給システムとしている。
請求項１４の発明は、充電電池組はイオンポリマー電池であることを特徴とする請求項８記載のエネルギー保存機能付電源供給システムとしている。
請求項１５の発明は、エネルギー管理制御装置はバスにより、交流から直流への変換装置、充電器、充電電池組および直流から直流への変換装置の温度を監視および管理することを特徴とする請求項８記載のエネルギー保存機能付電源供給システムとしている。
請求項１６の発明は、エネルギー管理制御装置はバスにより、交流から直流への変換装置、充電器、充電電池組および直流から直流への変換装置の電圧を監視および管理することを特徴とする請求項８記載のエネルギー保存機能付電源供給システムとしている。
請求項１７の発明は、エネルギー管理制御装置はバスにより、交流から直流への変換装置、充電器、充電電池組および直流から直流への変換装置の電流を監視および管理することを特徴とする請求項８記載のエネルギー保存機能付電源供給システムとしている。
請求項１８の発明は、エネルギー管理制御装置はバスにより、燃料電池組の水分と燃料を監視および管理することを特徴とする請求項９記載のエネルギー保存機能付電源供給システムとしている。
請求項１９の発明は、バスはＩ2Ｃであることを特徴とする請求項８記載のエネルギー保存機能付電源供給システムとしている。
請求項２０の発明は、一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項８記載のエネルギー保存機能付電源供給システムとしている。
請求項２１の発明は、一種のエネルギー保存機能付電源供給システムであり、交流から直流への変換装置、エネルギー保存装置、  直流から直流への変換装置及びエネルギー管理制御装置を含み、
交流から直流への変換装置は外部より入力する交流電源を受け入れ、交流電源を第１直流電源に変換し、フラグにより、この交流電源の存在を指示する、
エネルギー保存装置は交流から直流への変換装置に接続し、並びに充電器と充電電池組を具え、充電器は第１直流電源を受け入れて、充電の直流電源を発生し、充電電池組に充電し、この充電電池組より第２直流電源を出力する、
直流から直流への変換装置は交流から直流への変換装置と充電電池組に接続し、第１直流電源または第２直流電源を入力電源として選択し、入力された電源により、一つ以上の作業電源を出力直流電源として発生する、及び
エネルギー管理制御装置はバスにより交流から直流への変換装置、充電器、充電電池組および直流から直流への変換装置に接続する、このエネルギー管理制御装置はバスにより、交流から直流への変換装置、充電器、充電電池組および直流から直流への変換装置の検知および管理をする、そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択することを特徴とする一種のエネルギー保存機能付電源供給システムとしている。
請求項２２の発明は、充電電池組は燃料電池組であることを特徴とする請求項１５記載のエネルギー保存機能付電源供給システムとしている。
請求項２３の発明は、充電電池組はイオン電池であることを特徴とする請求項１５記載のエネルギー保存機能付電源供給システムとしている。
請求項２４の発明は、充電電池組はイオンポリマー電池であることを特徴とする請求項１５記載のエネルギー保存機能付電源供給システムとしている。
請求項２５の発明は、エネルギー管理制御装置はバスにより、交流から直流への変換装置、充電器、充電電池組および直流から直流への変換装置の温度を監視および管理することを特徴とする請求項１５記載のエネルギー保存機能付電源供給システムとしている。
請求項２６の発明は、エネルギー管理制御装置はバスにより、交流から直流への変換装置、充電器、充電電池組および直流から直流への変換装置の電圧を監視および管理することを特徴とする請求項１５記載のエネルギー保存機能付電源供給システムとしている。
請求項２７の発明は、エネルギー管理制御装置はバスにより、交流から直流への変換装置、充電器、充電電池組および直流から直流への変換装置を監視および管理することを特徴とする請求項１５記載のエネルギー保存機能付電源供給システムとしている。
請求項２８の発明は、エネルギー管理制御装置はバスにより、燃料電池組の水分と燃料を監視および管理することを特徴とする請求項１６記載のエネルギー保存機能付電源供給システムとしている。
請求項２９の発明は、バスはＩ2Ｃであることを特徴とする請求項１５記載のエネルギー保存機能付電源供給システムとしている。
請求項３０の発明は、一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項１５記載のエネルギー保存機能付電源供給システムとしている。
【発明の効果】
【００１３】
本発明のエネルギー保存機能付電源供給システムは前記した三つの態様を利用し、外部電源の供給を中止するかまたは不安定のとき、システム内のエネルギー保存装置により、システムをダウンすることなく、正常に稼動することができる。
【発明を実施するための最良の形態】
【００１４】
本発明は一種のエネルギー保存機能付電源供給システムに関わるもので、主に交流から直流への変換装置２、エネルギー保存装置４、直流から直流への変換装置６およびエネルギー管理制御装置８を設ける。前記４種類の部品間の接続方式により、システム内の直流電気と交流電気の流動方向が異なり、三つの態様を形成し、以下のとおり好ましい実施例にて説明する。
【００１５】
図１に示すものは、本発明の好ましい実施例１である。エネルギー管理制御装置８はI2Cなどのバスにより、直流から直流への変換装置２、充電器４１、充電電池組４２および直流から直流への変換装置６に接続する。エネルギー管理制御装置８はバスにより直流から直流への変換装置２、充電器４１、充電電池組４２および直流から直流への変換装置６(部品温度、電圧と電流、エネルギー保存装置４の充電状態など)を検知および管理する。エネルギー保存装置４を交流から直流への変換装置２に接続し、充電器４１と充電電池組４２を設ける。直流から直流への変換装置６は交流から直流への変換装置２および充電電池組４２に接続する。エネルギー管理制御装置８は直流から直流への変換装置６に接続する。
【００１６】
交流電源を外部より、交流から直流への変換装置２に入力された後、この交流電源は第１直流電源３に変換された上、フラグ２１により、この交流電源の存在を指示する。
【００１７】
よって、フラグ２１より交流電源の存在を指示したとき、第１直流電源３は充電するほか、エネルギー保存装置４と直流から直流への変換装置６に入力し、出力に備える。第１直流電源３はエネルギー保存装置４の充電器４１に入力された後、充電電源５を発生し、充電電池組４２に充電する。充電電池組４２より第２直流電源７を直流から直流への変換装置６に出力する。
【００１８】
エネルギー管理制御装置８がバスにより、フラグ２１を読み取り、交流電源の存在を確認したあと、エネルギー管理制御装置８はバスにより制御信号を直流から直流への変換装置６に発信し、直流から直流への変換装置６は入力電源として、第２直流電源７の代わりに、第１直流電源３を選択する。第１直流電源３が直流から直流への変換装置６に入力された後、直流から直流への変換装置６により、第１直流電源３を調節して、作業電源９を発生する。この作業電源９の電圧は+２４Ｖ、-２４Ｖ、+１２Ｖ、-１２Ｖ、+９Ｖ、-９Ｖ、+５Ｖ、-５Ｖ、+３．３Ｖ、または+２．５Ｖのいずれである。この作業電源９はさらに、エネルギー管理制御装置８より出力する。
【００１９】
逆に、エネルギー管理制御装置８はバスによりフラグ２１を読み取り、フラグ２１により、交流電源が存在しないまたは不安定のとき、エネルギー保存装置４の充電電池組４２は保存された電源を第２直流電源７より、直流から直流への変換装置６に出力する。直流から直流への変換装置６は、この電源を調節し作業電源を発生する。この作業電源９の電圧は+２４Ｖ、-２４Ｖ、+１２Ｖ、-１２Ｖ、+９Ｖ、-９Ｖ、+５Ｖ、-５Ｖ、+３．３Ｖまたは+２．５Ｖのいずれである。
【００２０】
図２に示すものは、本発明の実施例２である。そのうち、エネルギー管理制御装置８はＩ2Ｃバスなどにより、交流から直流への変換装置２、充電器、４１充電電池組４２および直流から直流への変換装置６に接続する。交流から直流への変換装置２はエネルギー保存装置４の充電器４１およびエネルギー管理制御装置８それぞれに接続する。エネルギー保存装置４の充電電池組４２は直流から直流への変換装置６とエネルギー管理制御装置８により、接続する。
【００２１】
交流電源を外部より、交流から直流への変換装置２に入力された後、この交流電源は第１直流電源３および第３直流電源１０に変換された上、フラグ２１により、この交流電源の存在を指示する。
【００２２】
フラグ２１により、交流電源の存在を指示したとき、第１直流電源３よりエネルギー保存装置４に入力し、充電する。第３直流電源１０はエネルギー管理制御装置８に入力する。第１直流電源３はエネルギー保存装置４の充電器４１に入力された後、充電電源５を発生し、充電電池組４２に充電する。充電電池組４２より第２直流電源７を直流から直流への変換装置６に出力する。そして、直流から直流への変換装置６は第２直流電源７を調節した後、作業電源９を発生し、エネルギー管理制御装置８に入力する。この作業電源９の電圧は+２４Ｖ、-２４Ｖ、+１２Ｖ、-１２Ｖ、+９Ｖ、-９Ｖ、+５Ｖ、-５Ｖ、+３．３Ｖ、または+２．５Ｖのいずれである。
【００２３】
エネルギー管理制御装置８がバスよりこのフラグ２１を読み取り、このフラグ２１により交流電源野存在を指示したとき、エネルギー管理制御装置８は作業電源９の代わりに、第３直流電源１０を入力電源として、選択する。このエネルギー管理制御装置８により、第３直流電源１０を調節して、電源を出力する。この第３直流電源１０の電圧は+２４Ｖ、-２４Ｖ、+１２Ｖ、-１２Ｖ、+９Ｖ、-９Ｖ、+５Ｖ、-５Ｖ、+３．３Ｖ、または+２．５Ｖのいずれである。
【００２４】
逆に、エネルギー管理制御装置８はバスによりフラグ２１を読み取り、フラグ２１により、交流電源が存在しないまたは不安定のとき、エネルギー保存装置４の充電電池組４２は保存された電源を第２直流電源７より、直流から直流への変換装置６に出力する。直流から直流への変換装置６は調節した後、作業電源９を発生する。この作業電源９はエネルギー管理制御装置８により出力する。この作業電源９の電圧は+２４Ｖ、-２４Ｖ、+１２Ｖ、-１２Ｖ、+９Ｖ、-９Ｖ、+５Ｖ、-５Ｖ、+３．３Ｖ、または+２．５Ｖのいずれである。
【００２５】
図３に示すものは、本発明の実施例３である。そのうち、エネルギー管理制御装置８はＩ2Ｃバスなどにより、交流から直流への変換装置２、充電器、４１充電電池組４２および直流から直流への変換装置６に接続する。交流から直流への変換装置２はエネルギー保存装置４の充電器４１および直流から直流への変換装置６それぞれに接続する。エネルギー保存装置４の充電器４１は、充電電池組４２により、直流から直流への変換装置６と接続する。
【００２６】
交流電源を外部より、交流から直流への変換装置２に入力された後、この交流電源は第１直流電源３に変換された上、フラグ２１により、この交流電源の存在を指示する。
【００２７】
よって、フラグ２１より交流電源の存在を指示したとき、第１直流電源３はエネルギー保存装置４に入力するほか、直流から直流への変換装置６に入力し、出力に備える。第１直流電源３はエネルギー保存装置４の充電器４１に入力された後、充電電源５を発生し、充電電池組４２に充電する。充電電池組４２より第２直流電源７を直流から直流への変換装置６に出力する。
【００２８】
エネルギー管理制御装置８がバスにより、フラグ２１を読み取り、交流電源の存在を確認したあと、エネルギー管理制御装置８はバスにより制御信号を直流から直流への変換装置６に発信し、直流から直流への変換装置６は入力電源として、第２直流電源７の代わりに、第１直流電源３を選択する。第１直流電源３より直流から直流への変換装置６に入力された後、直流から直流への変換装置６により、第１直流電源３を調節して、作業電源９を発生する。この作業電源９はエネルギー管理制御装置８を経由せず、そのまま出力電源とする。この作業電源９の電圧は+２４Ｖ、-２４Ｖ、+１２Ｖ、-１２Ｖ、+９Ｖ、-９Ｖ、+５Ｖ、-５Ｖ、+３．３Ｖ、または+２．５Ｖのいずれである。この作業電源９はさらに、エネルギー管理制御装置８より出力する。
【００２９】
逆に、エネルギー管理制御装置８はバスによりフラグ２１を読み取り、フラグ２１により、交流電源が存在しないまたは不安定のとき、エネルギー保存装置４の充電電池組４２は保存された電源を第２直流電源７より、直流から直流への変換装置６に出力する。直流から直流への変換装置６はこの電源を調節し作業電源を発生する。この作業電源９の電圧は+２４Ｖ、-２４Ｖ、+１２Ｖ、-１２Ｖ、+９Ｖ、-９Ｖ、+５Ｖ、-５Ｖ、+３．３Ｖのいずれである。
【００３０】
以上の説明から、外部より交流電源入力あるか否かに拘わらず、本発明のシステムは電源供給の効果を実現できる。このエネルギー保存装置４はイオン電池、イオンポリマー電池または燃料電池を設けても良い。そのうち、イオン電池、イオンポリマー電池または燃料電池はエネルギー管理制御装置８により、その内部の状態を管理する。一例として、燃料電池の水分と燃料の量、温度、電圧、電流などの状況管理。使用する電池のエネルギー保存効率は、従来のコンデンサーによるエネルギー保存方式に比べて、より高いエネルギーを保存できるため、本発明の実施により、より高いエネルギー単位が得られる。
【図面の簡単な説明】
【００３１】
【図１】本発明の好ましい実施例のフローチャートである。
【図２】本発明の好ましい実施例のフローチャートである。
【図３】本発明の好ましい実施例のフローチャートである。
【符号の説明】
【００３２】
２  交流から直流への変換装置
２１  フラグ
３  第１直流電源
４  エネルギー保存装置
４１  充電器
４２  充電電池組
５  充電直流電源
６  直流から直流への変換装置
７  第２直流電源
８  エネルギー管理制御装置
９  作業電源
１０  第３直流電源
【図１】
2007159380.tif 000003
【図２】
2007159380.tif 000004
【図３】
2007159380.tif 000005
【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
一種のエネルギー保存機能付電源供給システムであり、交流から直流への変換装置、エネルギー保存装置、直流から直流への変換装置及びエネルギー管理制御装置を含み、交流から直流への変換装置は外部より入力する交流電源を受け入れ、交流電源を第１直流電源に変換しフラグにより、この交流電源の存在を指示する、
エネルギー保存装置は交流から直流への変換装置に接続する、充電器と充電電池組を設け、充電器は第１直流電源を受け入れて、充電の直流電源を発生し、充電電池組に充電し、この充電電池組より第２直流電源を出力する、
直流から直流への変換装置は交流から直流への変換装置と充電電池組に接続し、第１直流電源または第２直流電源を入力電源として選択し、入力電源により、一つ以上の作業電源を発生する、
エネルギー管理制御装置は直流から直流への変換装置に接続し、一つ以上の作業電源を受け入れて、一つ以上の直流電源を出力し、バスにより、交流から直流への変換装置、充電器、充電電池組および直流から直流への変換装置に接続する、エネルギー管理制御装置はバスにより、交流から直流への変換装置、充電器、充電電池組および直流から直流への変換装置を検知および管理する、
そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択することを特徴とするエネルギー保存機能付電源供給システム。
【請求項２】
充電電池組は燃料電池であることを特徴とする請求項１記載のエネルギー保存機能付電源供給システム。
【請求項３】
充電電池組はイオン電池であることを特徴とする請求項１記載のエネルギー保存機能付電源供給システム。
【請求項４】
充電電池組はイオンポリマー電池であることを特徴とする請求項１記載のエネルギー保存機能付電源供給システム。
【請求項５】
エネルギー管理制御装置はバスにより、交流から直流への変換装置、充電器、充電電池組および直流から直流への変換装置の温度を監視および管理することを特徴とする請求項１記載のエネルギー保存機能付電源供給システム。
【請求項６】
エネルギー管理制御装置はバスにより、交流から直流への変換装置、充電器、充電電池組および直流から直流への変換装置の電圧を監視および管理することを特徴とする請求項１記載のエネルギー保存機能付電源供給システム。
【請求項７】
エネルギー管理制御装置はバスにより、交流から直流への変換装置、充電器、充電電池組および直流から直流への変換装置の電流を監視および管理することを特徴とする請求項１記載のエネルギー保存機能付電源供給システム。
【請求項８】
エネルギー管理制御装置はバスにより、燃料電池組の水分と燃料を監視および管理することを特徴とする請求項２記載のエネルギー保存機能付電源供給システム。
【請求項９】
バスはＩ2Ｃであることを特徴とする請求項１記載のエネルギー保存機能付電源供給システム。
【請求項１０】
一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項１記載のエネルギー保存機能付電源供給システム。
【請求項１１】
一種のエネルギー保存機能付電源供給システムであり、交流から直流への変換装置、エネルギー保存装置、  直流から直流への変換装置及びエネルギー管理制御装置を含み、交流から直流への変換装置は外部より入力する交流電源を受け入れ、交流電源を第１直流電源及び第３直流電源に変換し、フラグにより、この交流電源の存在を指示する、
エネルギー保存装置は交流から直流への変換装置に接続し、並びに充電器と充電電池組を具え、そのうち、充電器は第１直流電源を受け入れて、充電の直流電源を発生し、充電電池組に充電し、この充電電池組より第２直流電源を出力する、
直流から直流への変換装置は充電電池組に接続し、入力電源として第２直流電源を受け入れ、この入力電源により、一つ以上の電源を発生する、
エネルギー管理制御装置は直流から直流への変換装置および交流から直流への変換装置に接続し、一つ以上の作業電源または第３直流電源を入力電源として選択し、且つ少なくとも一つの直流電源を出力し、並びに一つのバスにより交流直流転換装置、充電器、充電電池組および直流から直流への変換装置に接続する、
エネルギー管理制御装置はバスにより交流から直流への変換装置、充電器、充電電池組および直流から直流への変換装置の電流を監視および管理する、
そのうち、エネルギー管理制御装置はバスにより、フラグを読み取り、フラグは交流電源の存在を指示したとき、エネルギー管理制御装置は第３直流電源を入力電源として選択することを特徴とするエネルギー保存機能付電源供給システム。
【請求項１２】
充電電池組は燃料電池であることを特徴とする請求項１１記載のエネルギー保存機能付電源供給システム。
【請求項１３】
充電電池組はイオン電池であることを特徴とする請求項１１記載のエネルギー保存機能付電源供給システム。
【請求項１４】
充電電池組はイオンポリマー電池であることを特徴とする請求項１１記載のエネルギー保存機能付電源供給システム。
【請求項１５】
エネルギー管理制御装置はバスにより、交流から直流への変換装置、充電器、充電電池組および直流から直流への変換装置の温度を監視および管理することを特徴とする請求項１１記載のエネルギー保存機能付電源供給システム。
【請求項１６】
エネルギー管理制御装置はバスにより、交流から直流への変換装置、充電器、充電電池組および直流から直流への変換装置の電圧を監視および管理することを特徴とする請求項１１記載のエネルギー保存機能付電源供給システム。
【請求項１７】
エネルギー管理制御装置はバスにより、交流から直流への変換装置、充電器、充電電池組および直流から直流への変換装置の電流を監視および管理することを特徴とする請求項１１記載のエネルギー保存機能付電源供給システム。
【請求項１８】
エネルギー管理制御装置はバスにより、燃料電池組の水分と燃料を監視および管理することを特徴とする請求項１２記載のエネルギー保存機能付電源供給システム。
【請求項１９】
バスはI2Cであることを特徴とする請求項１１記載のエネルギー保存機能付電源供給システム。
【請求項２０】
一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項１１記載のエネルギー保存機能付電源供給システム。
【請求項２１】
一種のエネルギー保存機能付電源供給システムであり、交流から直流への変換装置、エネルギー保存装置、  直流から直流への変換装置及びエネルギー管理制御装置を含み、
交流から直流への変換装置は外部より入力する交流電源を受け入れ、交流電源を第１直流電源に変換し、フラグにより、この交流電源の存在を指示する、
エネルギー保存装置は交流から直流への変換装置に接続し、並びに充電器と充電電池組を具え、充電器は第１直流電源を受け入れて、充電の直流電源を発生し、充電電池組に充電し、この充電電池組より第２直流電源を出力する、
直流から直流への変換装置は交流から直流への変換装置と充電電池組に接続し、第１直流電源または第２直流電源を入力電源として選択し、入力された電源により、一つ以上の作業電源を出力直流電源として発生する、及び
エネルギー管理制御装置はバスにより交流から直流への変換装置、充電器、充電電池組および直流から直流への変換装置に接続する、このエネルギー管理制御装置はバスにより、交流から直流への変換装置、充電器、充電電池組および直流から直流への変換装置の検知および管理をする、
そのうち、エネルギー管理制御装置はバスにより、フラグを読み取り、フラグは交流電源の存在を指示したとき、エネルギー管理制御装置はバスより、制御信号を直流から直流への変換装置に送信し、直流から直流への変換装置により、第１直流電源を入力電源に選択することを特徴とする一種のエネルギー保存機能付電源供給システム。
【請求項２２】
充電電池組は燃料電池組であることを特徴とする請求項２１記載のエネルギー保存機能付電源供給システム。
【請求項２３】
充電電池組はイオン電池であることを特徴とする請求項２１記載のエネルギー保存機能付電源供給システム。
【請求項２４】
充電電池組はイオンポリマー電池であることを特徴とする請求項２１記載のエネルギー保存機能付電源供給システム。
【請求項２５】
エネルギー管理制御装置はバスにより、交流から直流への変換装置、充電器、充電電池組および直流から直流への変換装置の温度を監視および管理することを特徴とする請求項２１記載のエネルギー保存機能付電源供給システム。
【請求項２６】
エネルギー管理制御装置はバスにより、交流から直流への変換装置、充電器、充電電池組および直流から直流への変換装置の電圧を監視および管理することを特徴とする請求項２１記載のエネルギー保存機能付電源供給システム。
【請求項２７】
エネルギー管理制御装置はバスにより、交流から直流への変換装置、充電器、充電電池組および直流から直流への変換装置を監視および管理することを特徴とする請求項２１記載のエネルギー保存機能付電源供給システム。
【請求項２８】
エネルギー管理制御装置はバスにより、燃料電池組の水分と燃料を監視および管理することを特徴とする請求項２２記載のエネルギー保存機能付電源供給システム。
【請求項２９】
バスはＩ2Ｃであることを特徴とする請求項２１記載のエネルギー保存機能付電源供給システム。
【請求項３０】
一つ以上の作業電源は、+２４Ｖ、-２４Ｖ、+１２Ｖ、-１２Ｖ、+９Ｖ、-９Ｖ、+５Ｖ、-５Ｖ、+３．３Ｖ、および+２．５Ｖのいずれの一つ以上の電圧を選択することを特徴とする請求項２１記載のエネルギー保存機能付電源供給システム。